(57)【要約】【課題】複数の表示装置が重なり合う場合にも、画像が良好に見えるようにする。【解決手段】表示装置１は、第１画像を表示する表示パネル１００と、少なくとも一部の領域が表示パネル１００と重なるように移動可能な、第２画像を表示する表示パネル２００と、表示パネル１００及び表示パネル２００が重なっている重なり領域を特定する領域特定部３５１と、領域特定部３５１が特定した重なり領域に基づいて、表示パネル１００及び表示パネル２００の少なくともいずれかの透過度を制御する透過度制御部３５２と、を有することを特徴とする。【選択図】図１
2016099435.tif 000002
【特許請求の範囲】
【請求項１】
第１画像を表示する第１表示手段と、
少なくとも一部の領域が前記第１表示手段と重なるように移動可能な、第２画像を表示する第２表示手段と、
前記第１表示手段及び前記第２表示手段が重なっている重なり領域を特定する領域特定手段と、
前記領域特定手段が特定した前記重なり領域に基づいて、前記第１表示手段及び前記第２表示手段の少なくともいずれかの透過度を制御する制御手段と、
を有することを特徴とする表示装置。
【請求項２】
前記第１表示手段及び前記第２表示手段の少なくともいずれかの移動量を検知する検知手段をさらに有し、
前記領域特定手段は、前記検知手段が検知した前記移動量に基づいて、前記重なり領域を特定することを特徴とする、
請求項１に記載の表示装置。
【請求項３】
前記制御手段は、前記重なり領域における前記第１表示手段の第１透過度、前記重なり領域以外の領域における前記第１表示手段の第２透過度、前記重なり領域における前記第２表示手段の第３透過度、及び前記重なり領域以外の領域における前記第２表示手段の第４透過度を決定することを特徴とする、
請求項１又は２に記載の表示装置。
【請求項４】
前記制御手段は、前記第１透過度及び前記第３透過度を乗算した値と、前記第２透過度の値と、前記第４透過度の値とが等しくなるように、前記第１透過度、前記第２透過度、前記第３透過度及び前記第４透過度を決定することを特徴とする、
請求項３に記載の表示装置。
【請求項５】
外部から画像データを取得する取得手段と、
前記領域特定手段が特定した前記重なり領域に基づいて前記画像データを補正することにより、前記第１画像に対応する第１画像データ、及び前記第２画像に対応する第２画像データを作成する画像作成手段と、
をさらに有することを特徴とする、
請求項１から４のいずれか１項に記載の表示装置。
【請求項６】
前記画像作成手段は、前記重なり領域において、前記第１表示手段及び前記第２表示手段のうち、表示面の側に配置された表示手段に画像が表示され、前記表示面と反対の側に配置された表示手段に画像が表示されないように、前記第１画像データ又は前記第２画像データを作成することを特徴とする、
請求項５に記載の表示装置。
【請求項７】
前記画像作成手段は、前記重なり領域において、前記第１表示手段及び前記第２表示手段のうち、表示面の側に配置された表示手段に、前記表示面と反対の側に配置された表示手段よりも高い輝度で画像が表示されるように、前記第１画像データ及び前記第２画像データを作成することを特徴とする、
請求項５に記載の表示装置。
【請求項８】
前記画像作成手段は、前記重なり領域において、前記第１表示手段及び前記第２表示手段のうち、表示面と反対の側に配置された表示手段に画像が表示され、前記表示面の側に配置された表示手段に画像が表示されないように、前記第１画像データ又は前記第２画像データを作成し、
前記制御手段は、前記重なり領域において、前記第１表示手段及び前記第２表示手段のうち、前記表示面の側に配置された表示手段の透過度を、前記表示面と反対の側に配置された表示手段の透過度よりも大きくすることを特徴とする、
請求項５に記載の表示装置。
【請求項９】
前記画像作成手段は、前記重なり領域において、前記第１表示手段及び前記第２表示手段のうち、表示面と反対の側に配置された表示手段に、前記表示面の側に配置された表示手段よりも高い輝度で画像が表示されるように、前記第１画像データ及び前記第２画像データを作成し、
前記制御手段は、前記重なり領域において、前記第１表示手段及び前記第２表示手段のうち、前記表示面の側に配置された表示手段の透過度を、前記表示面と反対の側に配置された表示手段の透過度よりも大きくすることを特徴とする、
請求項５に記載の表示装置。
【請求項１０】
前記第１表示手段及び前記第２表示手段の周辺の温度を検出する温度検出手段をさらに有し、
前記制御手段は、前記温度検出手段が検出した温度に基づいて、前記透過度を制御することを特徴とする、
請求項１から９のいずれか１項に記載の表示装置。
【請求項１１】
第１画像を表示する第１表示手段と、少なくとも一部の領域が前記第１表示手段と重なるように移動可能な、第２画像を表示する第２表示手段とが重なっている重なり領域を特定するステップと、
前記重なり領域に基づいて、前記第１表示手段及び前記第２表示手段の少なくともいずれかの透過度を制御するステップと、
前記透過度を制御するステップにおいて決定された前記透過度で、前記第１表示手段に前記第１画像を表示するとともに、前記第２表示手段に前記第２画像を表示するステップと、
を有することを特徴とする表示制御方法。
【請求項１２】
前記重なり領域を特定するステップの前に、前記第１表示手段及び前記第２表示手段の少なくともいずれかの移動量を検知するステップをさらに有し、
前記重なり領域を特定するステップにおいて、前記移動量に基づいて、前記重なり領域を特定することを特徴とする、
請求項１１に記載の表示制御方法。
【請求項１３】
前記重なり領域を特定するステップの後に、前記重なり領域における前記第１表示手段の第１透過度、前記重なり領域以外の領域における前記第１表示手段の第２透過度、前記重なり領域における前記第２表示手段の第３透過度、及び前記重なり領域以外の領域における前記第２表示手段の第４透過度を決定するステップを有することを特徴とする、
請求項１１又は１２に記載の表示制御方法。
【請求項１４】
前記第１透過度及び前記第３透過度を乗算することにより、前記重なり領域における透過度を算出するステップと、
前記重なり領域における透過度に基づいて、前記第２透過度及び前記第４透過度を算出するステップと、
を有することを特徴とする、
請求項１３に記載の表示制御方法。
【請求項１５】
外部から画像データを取得するステップと、
前記重なり領域を特定するステップの後に、前記重なり領域に基づいて前記画像データを補正することにより、前記第１画像に対応する第１画像データ、及び前記第２画像に対応する第２画像データを作成するステップと、
をさらに有することを特徴とする、
請求項１１から１４のいずれか１項に記載の表示制御方法。
【請求項１６】
前記第１画像及び前記第２画像を表示するステップにおいて、前記重なり領域において、前記第１表示手段及び前記第２表示手段のうち、表示面の側に配置された表示手段に画像を表示するとともに、前記表示面と反対の側に配置された表示手段に画像を表示しないことを特徴とする、
請求項１１から１５のいずれか１項に記載の表示制御方法。
【請求項１７】
前記第１画像及び前記第２画像を表示するステップにおいて、前記重なり領域において、前記第１表示手段及び前記第２表示手段のうち、表示面の側に配置された表示手段に、前記表示面と反対の側に配置された表示手段よりも高い輝度で画像を表示することを特徴とする、
請求項１１から１５のいずれか１項に記載の表示制御方法。
【発明の詳細な説明】
【技術分野】
【０００１】
本発明は、複数の表示パネルを有する表示装置、及び当該表示装置に画像を表示させるための表示制御方法に関するものである。
【背景技術】
【０００２】
近年、表示面の反対側が透けて見える透過型表示装置が開発されている。透過型表示装置の用途の一つとして、住居の窓としての用途が想定されている。透過型表示装置が住居の窓として使用される場合、表示面の一部の領域に画像を表示させ、画像を表示させない領域を透過状態にすることにより、窓としての機能と表示装置としての機能を両立させることができる。特許文献１には、外光強度や表示装置の発光強度の影響による視認性の低下を防ぐために、透過型表示装置の透過度を領域ごとに調整する技術が開示されている。
【先行技術文献】
【特許文献】
【０００３】
【特許文献１】特開２００８−８３５１０号公報
【発明の概要】
【発明が解決しようとする課題】
【０００４】
表示装置が単独で使用される場合、外光強度等の各種の条件に基づいて表示装置の透過度を領域ごとに調整することで、外光等の影響による視認性の低下を防ぐことができる。しかしながら、表示装置が引違い式の窓に使用される場合のように、複数の表示装置が連動して使用される場合、複数の表示装置が互いに重なり合うことにより透過度が低下するので、表示装置が重なった領域における画像の見え方と、他の領域における画像の見え方との間に差が生じてしまうという問題がある。例えば、複数の表示装置が引違い式の窓として使用される場合、窓を開くために表示装置を移動させることによって表示装置が重なった領域が変化する。その結果、表示装置を移動させると、画像の見え方が変化してしまうという問題があった。
【０００５】
そこで、本発明は上述した点に鑑みてなされたものであり、複数の表示装置が重なり合う場合にも、画像が良好に見えるようにすることを目的とする。
【課題を解決するための手段】
【０００６】
上記の課題を解決するために、本発明の表示装置は、第１画像を表示する第１表示手段と、少なくとも一部の領域が前記第１表示手段と重なるように移動可能な、第２画像を表示する第２表示手段と、前記第１表示手段及び前記第２表示手段が重なっている重なり領域を特定する領域特定手段と、前記領域特定手段が特定した前記重なり領域に基づいて、前記第１表示手段及び前記第２表示手段の少なくともいずれかの透過度を制御する制御手段と、を有することを特徴とする。
【発明の効果】
【０００７】
本発明によれば、複数の表示装置が重なり合う場合にも、画像が良好に見えるという効果を奏する。
【図面の簡単な説明】
【０００８】
【図１】第１の実施形態に係る表示装置１の外観を示す図である。
【図２】表示装置１の構成を示す図である。
【図３】透過度制御部３５２による透過度の制御方法の説明図である。
【図４】表示パネル１００及び表示パネル２００に透過度を設定する動作のフローチャートである。
【図５】表示パネル１００及び表示パネル２００の状態を示す図である。
【図６】領域特定部３５１が重なり領域の座標を算出する際に用いられるテーブルである。
【図７】重なり領域の座標を算出する動作のフローチャートである。
【図８】第２の実施形態に係る表示装置１の構成を示す図である。
【図９】第２の実施形態に係る表示装置１が画像を表示している状態を示す図である。
【図１０】表示パネル１００及び表示パネル２００に画像を表示させる動作のフローチャートである。
【図１１】表示パネル１００及び表示パネル２００の一部の領域が重なった状態を示す図である。
【図１２】表示パネル１００及び表示パネル２００において画像を表示する領域の座標を算出する際に用いられるテーブルである。
【図１３】第３の実施形態に係る表示装置１が画像を表示している状態を示す図である。
【図１４】第４の実施形態に係る表示装置１の構成を示す図である。
【発明を実施するための形態】
【０００９】
＜第１の実施形態＞
［表示装置１の概要］
図１は、第１の実施形態に係る表示装置１の外観を示す図である。図２は、表示装置１の構成を示す図である。表示装置１は、表示パネル１００と、表示パネル２００と、表示制御装置３００とを備える。
【００１０】
表示パネル１００及び表示パネル２００は、それぞれ表示制御装置３００から入力された画像データに基づく画像を表示する。表示パネル２００は、表示パネル１００に対して表示面側（ユーザが表示パネル１００に表示される画像を見る側）に配置されており、少なくとも一部の領域が表示パネル１００と重なるように移動可能に構成されている。なお、本明細書における「画像」は、静止画及び動画を含むものとする。
【００１１】
以下、図１及び図２を参照しながら、表示装置１の構成及び動作について説明する。なお、表示パネル１００及び表示パネル２００は同一の構成を有するので、表示パネル１００及び表示パネル２００を代表して、表示パネル１００の構成について説明する。
【００１２】
表示パネル１００は、画像表示部１１１及び透過表示部１１２が重ねられた状態で構成される表示部１１０と、移動量検知部１２０と、通信部１３０とを有する。
画像表示部１１１は、画像を表示している状態で画素が発光し、画像を表示していない状態で画素が透明になる表示デバイスであり、例えば有機エレクトロルミネッセンス素子である。画像表示部１１１は、表示パネル１００の表示面側に配置されている。透過表示部１１２は、領域ごとに透過度を制御することができる表示デバイスであり、例えば透過型の液晶パネルである。透過表示部１１２は、表示パネル１００の背面側に配置されている。
【００１３】
移動量検知部１２０は、表示パネル１００の下部に設けられており、表示パネル１００の移動方向及び移動量を検知する。移動量検知部１２０は、例えば、表示パネル１００の移動に伴い回転するロータリーエンコーダを光学センサで読み取ることにより、表示パネル１００の移動方向及び移動量を検知する。移動量検知部１２０は、その他の任意の方法により、移動方向及び移動量を検知してもよい。
【００１４】
通信部１３０は、表示パネル１００の下部に設けられており、ＨＤＭＩ（登録商標）ケーブルを介して接続された表示制御装置３００との間で、映像信号及び制御信号を送受信する。具体的には、通信部１３０は、表示する画像に対応する画像データを含む映像信号を表示制御装置３００から受信する。また、通信部１３０は、移動量検知部１２０が検知した移動方向及び移動量を示す移動情報を含む制御信号を表示制御装置３００に送信する。通信部１３０は、表示制御装置３００に送信した移動情報に基づいて表示制御装置３００が生成する、表示パネル１００の透過度を制御するための透過度情報を含む制御信号を表示制御装置３００から受信する。
【００１５】
表示制御装置３００は、画像取得部３１０と、画像作成部３２０と、通信部３３０と、記憶部３４０と、制御部３５０とを有する。
画像取得部３１０は、外部機器から画像データを含む映像信号を受信して、シリアル−パラレル変換処理及び同期分離処理を映像信号に施す。画像取得部３１０は、同期分離処理後の映像信号データを、画像作成部３２０へと出力する。
【００１６】
画像作成部３２０は、画像取得部３１０から取得した映像信号データに含まれる画像データを取り出し、取り出した画像データを補正することにより、表示パネル１００及び表示パネル２００に表示する画像に対応する画像データを作成する。画像作成部３２０は、作成した画像を、通信部３３０を介して表示パネル１００及び表示パネル２００のそれぞれに送信する。
【００１７】
通信部３３０は、ＨＤＭＩケーブルを介して接続された表示パネル１００及び表示パネル２００との間で、映像信号及び制御信号を送受信する。具体的には、通信部３３０は、画像作成部３２０が作成した画像データを含む映像信号を、表示パネル１００及び表示パネル２００のそれぞれに送信する。また、通信部３３０は、表示パネル１００及び表示パネル２００から、表示パネル１００及び表示パネル２００の移動情報を含む制御信号を受信し、受信した移動情報に基づいて制御部３５０が生成する透過度情報を含む制御信号を表示パネル１００及び表示パネル２００に送信する。
【００１８】
記憶部３４０は、ＲＯＭ及びＲＡＭ等の記憶媒体を有する。記憶部３４０は、制御部３５０が実行するプログラムを記憶している。また、記憶部３４０は、制御部３５０が処理するデータを一時的に記憶する。さらに、記憶部３４０は、表示パネル１００及び表示パネル２００の幅の値を記憶している。記憶部３４０は、表示パネル１００及び表示パネル２００のいずれが表示面側に配置されているかを示す情報をさらに記憶していてもよい。
【００１９】
制御部３５０は、ＣＰＵにより構成されている。制御部３５０は、記憶部３４０に記憶されたプログラムを実行することにより、領域特定部３５１及び透過度制御部３５２として機能する。
【００２０】
領域特定部３５１は、表示パネル１００及び表示パネル２００が重なっている重なり領域を特定する。具体的には、領域特定部３５１は、通信部３３０を介して表示パネル１００及び表示パネル２００から受信した移動情報に基づいて、表示パネル１００及び表示パネル２００のそれぞれの移動量を特定する。より具体的には、領域特定部３５１は、表示パネル１００及び表示パネル２００の移動量、及び記憶部３４０に記憶された表示パネル１００及び表示パネル２００の幅の値に基づいて、表示パネル１００と表示パネル２００とが重なった領域の位置座標を算出する。領域特定部３５１が位置座標を算出する方法の詳細については後述する。領域特定部３５１は、算出した位置座標を透過度制御部３５２に通知する。
【００２１】
透過度制御部３５２は、領域特定部３５１が特定した重なり領域を示す位置座標に基づいて、表示パネル１００及び表示パネル２００の少なくともいずれかの透過度を制御する。具体的には、透過度制御部３５２は、重なり領域における表示パネル１００の透過度（第１透過度＝α１１）、重なり領域以外の領域（以下、「単独領域」という）における表示パネル１００の透過度（第２透過度＝α１２）、重なり領域における表示パネル２００の透過度（第３透過度＝α２１）、及び単独領域における表示パネル２００の透過度（第４透過度＝α２２）を決定する。
【００２２】
より具体的には、透過度制御部３５２は、第１透過度及び第３透過度を乗算した値と、第２透過度の値と、第４透過度の値とがほぼ等しくなるように、第１透過度、第２透過度、第３透過度及び第４透過度を決定する。本実施形態において、透過度制御部３５２は、０〜５０％の間で透過度を制御するものとする。なお、透過度制御部３５２は、第１透過度及び第３透過度を乗算した値と、第２透過度の値と、第４透過度の値とが完全に同一になるように制御する必要はなく、ユーザが同等の透過度であると認識できる程度に等しい透過度に制御すればよい。
【００２３】
図３は、透過度制御部３５２による透過度の制御方法の説明図である。図３（ａ）は、表示パネル１００と表示パネル２００とが重なっていない状態を示す図である。この状態において、透過度制御部３５２は、表示パネル１００の透過度（α１＝２５％）及び表示パネル２００の透過度（α２＝２５％）を等しくすることで、表示パネル１００及び表示パネル２００を合わせた全領域における透過度を均一にすることができる。
【００２４】
図３（ｂ）は、表示パネル１００及び表示パネル２００の一部の領域が重なった状態を示す図である。図３（ｃ）は、図３（ｂ）の状態における表示パネル１００及び表示パネル２００を上方から見た状態を示す図である。図３（ｂ）及び図３（ｃ）に示すように、透過度制御部３５２は、表示パネル１００の重なり領域における透過度が最大になるように、α１１＝５０％、α２１＝５０％に設定する。この場合、表示パネル１００及び表示パネル２００が重なった状態における重なり領域の透過度は、α＝α１１×α２１＝２５％となる。そこで、透過度制御部３５２は、表示パネル１００及び表示パネル２００の全体の透過度を均一にするために、表示パネル１００及び表示パネル２００の単独領域の第３透過度α１２及び第４透過度α２２を、第１透過度α１１及び第２透過度α２１を乗算した値である２５％に設定する。
【００２５】
透過度制御部３５２は、α１１×α２１＝α１２＝α２２の関係が満たされるならば、それぞれの透過度を上記の値以外の値に設定してもよい。透過度制御部３５２は、例えば、α１１＝４０％、α１２＝５０％、α１２＝α２２＝２０％のように、第１透過度と第２透過度とが異なる値になるように設定することもできる。
【００２６】
［透過度算出動作のフローチャート］
図４は、表示制御装置３００が透過度を算出して、表示パネル１００及び表示パネル２００に透過度を設定する動作のフローチャートである。
領域特定部３５１は、通信部３３０を介して、表示パネル１００及び表示パネル２００から移動量を含む制御信号を受信すると（ステップＳ１１）、重なり領域の座標を算出する（ステップＳ１２）。重なり領域の座標の算出方法の詳細については後述する。
【００２７】
領域特定部３５１が重なり領域の座標を算出すると、透過度制御部３５２は、表示パネル１００の重なり領域の透過度（第１透過度）を算出する（ステップＳ１３）。また、透過度制御部３５２は、表示パネル２００の重なり領域の透過度（第３透過度）を算出する（ステップＳ１４）。透過度制御部３５２は、例えば、ユーザから透過度の設定値を受け付けて、受け付けた設定値に基づいて第１透過度及び第２透過度を算出する。
【００２８】
続いて、透過度制御部３５２は、表示パネル１００の単独領域の透過度（第２透過度）を算出する（ステップＳ１５）。また、透過度制御部３５２は、表示パネル２００の単独領域の透過度（第４透過度）を算出する（ステップＳ１６）。透過度制御部３５２は、例えば、第１透過度と第２透過度とを乗算することにより、第３透過度及び第４透過度を算出する。透過度制御部３５２は、透過度を算出すると、通信部３３０を介して、算出した透過度を表示パネル１００及び表示パネル２００に送信する（ステップＳ１７）。
【００２９】
［重なり領域の座標の算出手順］
以下、領域特定部３５１が重なり領域の座標を算出する手順（図４におけるステップＳ１２）の詳細について説明する。
図５は、表示パネル１００及び表示パネル２００の状態を示す図である。図５（ａ）は、表示パネル１００及び表示パネル２００が移動していない状態（移動量＝０の状態）における正面図である。Ｗは、表示パネル１００及び表示パネル２００のＸ軸方向の幅であり、図５（ａ）においては、Ｗ＝１００である。また、ｘ１は表示パネル１００の始点座標であり、ｘ２は表示パネル２００の始点座標である。
【００３０】
図５（ｂ）は、図５（ａ）の状態から、表示パネル１００が＋２５移動し、表示パネル２００が−５０移動した状態を示す図である。図５（ｂ）における斜線領域は、重なり領域を示している。また、図５（ｂ）において、重なり領域の始点をｘｓ、重なり領域の終点をｘｅとしており、重なり領域の座標を（ｘｓ、ｘｅ）と表すものとする。
【００３１】
図６は、領域特定部３５１が重なり領域の座標を算出する際に用いられるテーブルである。図６においては、Ｗ、ｘ１、ｘ２の関係に基づいて５つのパターンに分けられている。
【００３２】
Ｗ＝ｘ２−ｘ１となるパターン１は、図５（ａ）に示すように、表示パネル１００及び表示パネル２００が移動しておらず、表示パネル１００が左側で表示パネル２００が右側にある状態に対応し、重なり領域が存在しない。Ｗ＝ｘ１−ｘ２となるパターン２は、図５（ａ）に示す状態から、表示パネル１００の位置と表示パネル２００の位置とを入れ替えた状態に対応し、パターン１と同様に、重なり領域が存在しない。
【００３３】
ｘ１＜ｘ２となるパターン３は、図５（ｂ）に示すように、表示パネル１００の右側の一部の領域と表示パネル２００の左側の一部の領域とが重なる状態に対応している。ｘ１＞ｘ２となるパターン４は、表示パネル２００の右側の一部の領域と表示パネル１００の左側の一部の領域とが重なる状態に対応している。ｘ１＝ｘ２となるパターン５は、表示パネル１００と表示パネル２００とが完全に重なる状態に対応している。
【００３４】
領域特定部３５１は、表示パネル１００及び表示パネル２００の移動量に基づいてｘ１及びｘ２を特定すると、特定したｘ１とｘ２との関係、又はｘ１、ｘ２及びＷの関係に基づいて、表示パネル１００及び表示パネル２００の位置が、図６に示すどのパターンに対応するかを特定する。領域特定部３５１は、特定したパターンに対応する図６の式を参照することにより、表示パネル１００における重なり領域の始点座標及び終点座標、並びに表示パネル２００における重なり領域の始点座標及び終点座標を算出することができる。
【００３５】
図７は、領域特定部３５１が、図６のテーブルを参照して重なり領域の座標を算出する動作のフローチャートである。領域特定部３５１は、Ｗ、ｘ１及びｘ２の関係を特定すると（ステップＳ２０）、まず、Ｗ＝ｘ２−ｘ１の関係が満たされるかどうかを確認する（ステップＳ２１）。領域特定部３５１は、Ｗ＝ｘ２−ｘ１の関係が満たされる場合は、パターン１であると判定する（ステップＳ２２）。
【００３６】
領域特定部３５１は、ステップＳ２１においてＷ＝ｘ２−ｘ１の関係が満たされない場合は、ステップＳ２３に進み、Ｗ＝ｘ１−ｘ２の関係が満たされるかどうかを確認する（ステップＳ２３）。領域特定部３５１は、Ｗ＝ｘ１−ｘ２の関係が満たされる場合は、パターン２であると判定する（ステップＳ２４）。
【００３７】
領域特定部３５１は、ステップＳ２３においてＷ＝ｘ１−ｘ２の関係が満たされない場合は、ステップＳ２５に進み、ｘ１＜ｘ２の関係が満たされるかどうかを確認する（ステップＳ２５）。領域特定部３５１は、ｘ１＜ｘ２の関係が満たされる場合は、パターン３であると判定する（ステップＳ２６）。
【００３８】
領域特定部３５１は、ステップＳ２５においてｘ１＜ｘ２の関係が満たされない場合は、ステップＳ２７に進み、ｘ１＞ｘ２の関係が満たされるかどうかを確認する（ステップＳ２７）。領域特定部３５１は、ｘ１＞ｘ２の関係が満たされる場合は、パターン４であると判定する（ステップＳ２８）。領域特定部３５１は、ステップＳ２７においてｘ１＞ｘ２の関係が満たされない場合は、パターン５であると判定する（ステップＳ２９）。
【００３９】
以下、図５（ｂ）に示す例における重なり領域の座標を算出する例について説明する。
図５（ｂ）において、表示パネル１００の始点座標ｘ１は、ｘ１＝０＋２５＝２５であり、表示パネル２００の始点座標ｘ２は、ｘ２＝１００−５０＝５０である。この場合、領域特定部３５１は、図６を参照することにより、重なり領域の始点座標ｘｓ及び終点座標ｘｅを、以下のように算出することができる。
【００４０】
領域特定部３５１は、Ｗ＝１００、ｘ１＝２５、ｘ２＝５０であることから、Ｗ、ｘ１、ｘ２の関係は、Ｗ≠ｘ２−ｘ１、Ｗ≠ｘ１−ｘ２であり、かつｘ１＜ｘ２なので、パターン３に該当することを特定する。領域特定部３５１は、図６のテーブルのパターン３の該当欄を参照し、重なり領域の始点座標ｘｓは、ｘｓ＝ｘ２＝５０であり、重なり領域の終点座標ｘｅは、ｘｅ＝Ｗ−（ｘ２−ｘ１）＝１００＋（５０−２５）＝１２５であると算出する。
【００４１】
図５（ｃ）は、図５（ｂ）に示した状態での表示パネル１００における重なり領域を示す図である。図５（ｃ）においては、重なり領域の始点をｘ１ｓ、終点をｘ１ｅとしており、重なり領域の座標は、（ｘ１ｓ、ｘ１ｅ）となる。領域特定部３５１は、図６のテーブルのパターン３の該当欄を参照し、重なり領域の始点座標ｘ１ｓは、ｘ１ｓ＝ｘｓ−ｘ１＝５０−２５＝２５であり、重なり領域の終点座標ｘ１ｅは、ｘ１ｅ＝Ｗ＝１００であると算出する。
【００４２】
図５（ｄ）は、図５（ｂ）に示した状態での表示パネル２００における重なり領域を示す図である。図５（ｄ）においては、重なり領域の始点をｘ２ｓ、終点をｘ２ｅとしており、重なり領域の座標は、（ｘ２ｓ、ｘ２ｅ）となる。領域特定部３５１は、図６のテーブルのパターン３の該当欄を参照し、重なり領域の始点座標ｘ２ｓは、ｘ２ｓ＝０であり、重なり領域の終点座標ｘ２ｅは、ｘ２ｅ＝ｘｅ−ｘｓ＝１２５−５０＝７５であると算出する。
【００４３】
［変形例１］
以上の説明において、領域特定部３５１は、移動量検知部１２０が検知した表示パネル１００及び表示パネル２００の基準位置からの移動量に基づいて重なり領域を特定するものとして説明したが、領域特定部３５１は、他の方法により重なり領域を特定してもよい。例えば、表示パネル１００及び表示パネル２００に、互いに対向する側に、表示パネル１００及び表示パネル２００が移動する方向の位置によって異なる画像又は文字が印刷されており、表示パネル１００及び表示パネル２００が、他方の表示パネルに印刷された画像又は文字を読み取るセンサを有することによっても、重なり領域を特定することができる。
【００４４】
この場合、記憶部３４０には、表示パネル１００及び表示パネル２００に印刷された画像又は文字と、表示パネル１００及び表示パネル２００における位置とを関連付けたデータが記憶されており、領域特定部３５１は、表示パネル１００及び表示パネル２００が読み取った画像又は文字と、記憶部３４０に記憶されたデータとに基づいて、重なり領域を特定することができる。
【００４５】
［変形例２］
上記の説明においては、透過度制御部３５２が、表示パネル１００の透過度及び表示パネル２００の両方の透過度を制御する例について説明したが、透過度制御部３５２は、表示パネル１００及び表示パネル２００のいずれか一方の透過度を制御してもよい。例えば、透過度制御部３５２は、表示パネル１００の透過度が５０％であり、表示パネル２００の透過度を０〜１００％の範囲で制御できる場合、重なり領域における表示パネル２００の透過度を１００％にして、単独領域における表示パネル２００の透過度を５０％にすることにより、全領域の透過度を５０％にすることができる。
【００４６】
［第１の実施形態における効果］
以上説明したように、第１の実施形態に係る表示装置１は、表示パネル１００及び表示パネル２００の移動量に基づいて、表示パネル１００と表示パネル２００との重なり領域を特定し、特定した重なり領域における透過度と、重なり領域以外の単独領域における透過度とがほぼ同一になるように、表示パネル１００及び表示パネル２００の透過度を制御する。このようにすることで、表示装置１は、表示パネル１００及び表示パネル２００のいずれかが移動して重なり領域が変化した場合であっても、表示パネル１００及び表示パネル２００の全領域における透過度がほぼ均一に保たれるので、表示パネル１００及び表示パネル２００を窓に設置した場合に、窓全体が一つのディスプレイであるかのように見えるという効果を奏する。
【００４７】
＜第２の実施形態＞
第１の実施形態に係る表示装置１は、表示パネル１００及び表示パネル２００の重なり領域に基づいて、表示パネル１００及び表示パネル２００の透過度を制御したが、第２の実施形態に係る表示装置１は、表示パネル１００及び表示パネル２００の重なり領域に基づいて、表示パネル１００及び表示パネル２００に表示する画像をさらに制御する点で、第１の実施形態と異なる。以下、第１の実施形態と異なる点を中心に説明する。
【００４８】
図８は、第２の実施形態に係る表示装置１の構成を示す図である。第２の実施形態に係る表示装置１においては、領域特定部３５１が、特定した重なり領域の座標を画像作成部３２０に通知する。画像作成部３２０は、重なり領域に基づいて画像取得部３１０から取得した画像データを補正することにより、表示パネル１００に表示させる画像に対応する第１画像データ及び表示パネル２００に表示させる画像に対応する第２画像データを作成する。具体的には、画像作成部３２０は、重なり領域において、表示パネル１００及び表示パネル２００のうち、表示面の側に配置された表示パネル２００に画像が表示され、表示面と反対側に配置された表示パネル１００に画像が表示されないように、第１画像データを作成する。画像作成部３２０は、重なり領域において、表示パネル１００及び表示パネル２００のうち、表示面側に配置された表示パネルに、表示面と反対の側に配置された表示パネルよりも高い輝度で画像が表示されるように、第１画像データ及び第２画像データを作成してもよい。
【００４９】
図９は、第２の実施形態に係る表示装置１が画像を表示している状態を示す図である。図９（ａ）は、表示パネル１００及び表示パネル２００の正面図であり、図９（ｂ）は、表示パネル１００及び表示パネル２００の上面視図である。図９（ｂ）の太い破線は、画像が表示されている位置を示している。
【００５０】
図９（ｂ）に示すように、表示装置１は、表示パネル１００の単独領域（以下、「第１単独領域」という）において表示パネル１００に画像を表示し、重なり領域、及び表示パネル２００の単独領域（以下、「第２単独領域」という）において表示パネル２００に画像を表示する。このようにすることで、ユーザは、最も手前の表示面に表示された画像を視認することになるので、表示パネル１００及び表示パネル２００の重なり領域の大きさによらず、表示パネル１００及び表示パネル２００の全面において、ほぼ同じような印象で画像を視認することができる。
【００５１】
図１０は、第２の実施形態に係る表示装置１が、表示パネル１００及び表示パネル２００に画像を表示させる動作のフローチャートである。
領域特定部３５１は、通信部３３０を介して、表示パネル１００及び表示パネル２００から移動量を含む制御信号を受信すると（ステップＳ３１）、透過度制御部３５２が、図４に示したステップＳ１２からＳ１７までの透過度変更処理を実行する（ステップＳ３２）。
【００５２】
続いて、領域特定部３５１は、後述の図１２に示すテーブルを用いて、画像を表示する領域の座標を算出する（ステップＳ３３）。また、領域特定部３５１は、算出した座標に基づいて、表示パネル１００において画像を表示する領域を決定し、決定した領域の座標を算出する（ステップＳ３４）。同様に、領域特定部３５１は、ステップＳ３３において算出した座標に基づいて、表示パネル２００において画像を表示する領域を決定し、決定した領域の座標を算出する（ステップＳ３５）。ステップＳ３４及びステップＳ３５において、領域特定部３５１は、表示パネル１００及び表示パネル２００のいずれが表示面側に配置されているかを示す情報に基づいて、表示パネル１００及び表示パネル２００のそれぞれに画像を表示する領域を決定する。
【００５３】
続いて、領域特定部３５１は、表示パネル１００において画像を表示する領域の座標、及び表示パネル２００において画像を表示する領域の座標を画像作成部３２０に通知する。画像作成部３２０は、通知された座標に基づいて、画像取得部３１０から取得した画像データを補正することにより、表示パネル１００に表示する画像に対応する第１画像データ及び表示パネル２００に表示する画像に対応する第２画像データを作成する（ステップＳ３６）。具体的には、画像作成部３２０は、画像取得部３１０から取得した画像データから、表示パネル１００において画像を表示する領域に含まれる画像データを抽出することにより、第１画像データを作成する。同様に、画像作成部３２０は、画像取得部３１０から取得した画像データから、表示パネル２００において画像を表示する領域に含まれる画像データを抽出することにより、第２画像データを作成する。画像作成部３２０は、通信部３３０を介して、作成した第１画像データを表示パネル１００に送信し、第２画像データを表示パネル２００に送信する（ステップＳ３７）。
【００５４】
図１１は、表示パネル１００及び表示パネル２００の一部の領域が重なった状態を示す図である。図１１（ａ）は、表示パネル１００及び表示パネル２００の正面図である。図１１（ｂ）は、表示パネル１００及び表示パネル２００の上面視図である。図１１（ａ）及び図１１（ｂ）に示すように、表示パネル１００は、初期状態から右側に＋２５移動しており、表示パネル２００は、初期状態から左側に＋５０移動している。その結果、ｘ１＝２５、ｘ２＝５０となっている。また、重なり領域の始点ｘｓは、ｘｓ＝５０であり、重なり領域の終点ｘｅは、ｘｅ＝１２５である。
【００５５】
図１１（ｃ）は、表示パネル１００において画像を表示する領域を示す図であり、斜線領域が画像を表示する領域である。表示パネル１００に画像を表示する領域の始点の座標をｘｓ１、終点の座標をｘｅ１としている。図１１（ｄ）は、表示パネル２００において画像を表示する領域を示す図であり、斜線領域が画像を表示する領域である。表示パネル２００に画像を表示する領域の始点の座標をｘｓ２、終点の座標をｘｅ２としている。
【００５６】
図１２は、表示パネル１００及び表示パネル２００において画像を表示する領域の座標を算出する際に用いられるテーブルである。以下、図１１に示す例において、領域特定部３５１が図１２に示すテーブルを使用して、画像を表示する領域の座標を算出する例について説明する。
【００５７】
領域特定部３５１は、Ｗ＝１００、ｘ１＝２５、ｘ２＝５０であることから、Ｗ、ｘ１、ｘ２の関係は、Ｗ≠ｘ２−ｘ１、Ｗ≠ｘ１−ｘ２であり、かつｘ１＜ｘ２なので、パターン３に該当することを特定する。領域特定部３５１は、図１２のテーブルのパターン３の該当欄を参照し、重なり領域の始点座標ｘｓは、ｘｓ＝ｘ２＝５０であり、重なり領域の終点座標ｘｅは、ｘｅ＝Ｗ−（ｘ２−ｘ１）＝１００＋（５０−２５）＝１２５であると算出する。
【００５８】
続いて、領域特定部３５１は、図１２のテーブルのパターン３における「表示パネル１００の画像表示領域座標」欄を参照し、表示パネル１００において画像を表示する領域の始点座標ｘｓ１及び終点座標ｘｅ１を算出する。具体的には、領域特定部３５１は、ｘｓ１＝ｘ１＝２５、ｘｅ１=ｘｓ＝５０と算出する。また、領域特定部３５１は、図１２のテーブルのパターン３における「表示パネル２００の画像表示領域座標」欄を参照し、表示パネル２００において画像を表示する領域の始点座標ｘｓ２及び終点座標ｘｅ２を算出する。具体的には、領域特定部３５１は、ｘｓ２＝ｘｓ＝５０、ｘｅ２=ｘｓ＋Ｗ＝５０＋１００＝１５０と算出する。
【００５９】
［第２の実施形態における効果］
以上説明したように、第２の実施形態に係る表示装置１は、表示パネル１００及び表示パネル２００の移動量に基づいて、表示パネル１００と表示パネル２００との重なり領域を特定し、重なり領域及び単独領域で同一の透過度になるように制御するとともに、重なり領域においては、表示面側、すなわち表示装置１を見るユーザの側の表示装置に画像を表示する。このようにすることで、表示装置１は、表示パネル１００及び表示パネル２００の重なり領域の大きさによらず、表示パネル１００及び表示パネル２００の全面において、ほぼ同じような印象に見える画像を表示することができるという効果を奏する。
【００６０】
＜第３の実施形態＞
第２の実施形態において、表示装置１は、重なり領域において、表示面側、すなわち表示装置１を見るユーザの側の表示装置に画像を表示したのに対して、第３の実施形態においては、表示装置１が、重なり領域において、表示面と反対の側の表示装置に画像を表示する点で、第２の実施形態と異なる。
【００６１】
第３の実施形態に係る画像作成部３２０は、重なり領域において、表示パネル１００にのみ画像が表示され、表示パネル２００に画像が表示されないように第１画像データ又は第２画像データを作成する。画像作成部３２０は、重なり領域において、表示パネル１００及び表示パネル２００のうち、表示面と反対の側に配置された表示パネル１００に、表示面の側に配置された表示パネル２００よりも高い輝度で画像が表示されるように、表示パネル１００に表示する画像に対応する第１画像データ及び表示パネル２００に表示する画像に対応する第２画像データを作成してもよい。
【００６２】
図１３は、第３の実施形態に係る表示装置１が画像を表示している状態を示す図である。図１３（ａ）は、表示パネル１００及び表示パネル２００の正面図であり、図１３（ｂ）は、表示パネル１００及び表示パネル２００の上面視図である。図１３（ｂ）の太い破線は、画像が表示されている位置を示している。図１３（ａ）に示すように、第１単独領域と重なり領域とに画像が表示されている。図１３（ｂ）に示すように、重なり領域においては、表示パネル１００に画像が表示され、表示パネル２００には画像が表示されていない。
【００６３】
この際、透過度制御部３５２は、重なり領域において、表示パネル１００及び表示パネル２００のうち、表示面の側に配置された表示パネル２００の透過度を、表示面と反対の側に配置された表示パネル１００の透過度よりも大きくする。透過度制御部３５２は、例えば、図１３（ｂ）に示すように、第１単独領域における表示パネル１００の透過度をα１２＝２５％、第２単独領域における表示パネル２００の透過度をα２２＝２５％とする。そして、透過度制御部３５２は、重なり領域における表示パネル１００の透過度をα１１＝３６％、重なり領域における表示パネル２００の透過度をα２１＝７０％とする。この場合、重なり領域における透過度は、３６％×７０％≒２５％となる。
【００６４】
［第３の実施形態における効果］
以上説明したように、第３の実施形態に係る表示装置１は、重なり領域において、ユーザから見て奥側の表示パネル１００に画像を表示するとともに、手前側の表示パネル２００の透過度を、奥側の表示パネル１００の透過度よりも大きくする。このようにすることで、第３の実施形態に係る表示装置１は、画像が第１単独領域と重なり領域との境界部分で切断されないで表示されるとともに、重なり領域において、ユーザが画像を明瞭に視認することができるという効果を奏する。
【００６５】
＜第４の実施形態＞
第４の実施形態は、透過度制御部３５２が、表示パネル１００及び表示パネル２００の周囲の温度に基づいて透過度を制御する点で、第１の実施形態と異なる。
図１４は、第４の実施形態に係る表示装置１の構成を示す図である。第４の実施形態に係る表示装置１は、表示パネル１００及び表示パネル２００が、それぞれ温度検出部１４０及び温度検出部２４０を有する点で、他の実施形態に係る表示パネル１００及び表示パネル２００と異なり、他の点で同じである。
【００６６】
温度検出部１４０は、表示パネル１００の周辺の温度を検出し、検出した温度を示す第１温度情報を、通信部１３０を介して表示制御装置３００に通知する。同様に、温度検出部２４０は、表示パネル２００の周辺の温度を検出し、検出した温度を示す第２温度情報を、通信部１３０を介して表示制御装置３００に通知する。
【００６７】
透過度制御部３５２は、第１温度情報及び第２温度情報に基づいて、表示パネル１００及び表示パネル２００の透過度を制御する。具体的には、透過度制御部３５２は、第１の実施形態において説明した方法により透過度を算出した後に、第１温度情報及び第２温度情報に基づいて、算出した透過度を補正し、補正した透過度を示す情報を表示パネル１００及び表示パネル２００に送信する。記憶部３４０が、透過度制御部３５２が算出した透過度と、温度と、補正後の透過度との関係を示すテーブルを記憶し、透過度制御部３５２は、記憶部３４０が記憶しているテーブルに基づいて透過度を補正してもよい。
【００６８】
［第４の実施形態における効果］
以上説明したように、第４の実施形態に係る表示装置１は、温度に応じて透過度を補正することができるので、表示パネル１００及び表示パネル２００の透過度が温度によって変化する場合に、表示パネル１００及び表示パネル２００の周辺温度の変化によらず、透過度を一定範囲に維持することができるという効果を奏する。
【００６９】
以上、本発明を実施の形態を用いて説明したが、本発明の技術的範囲は上記実施の形態に記載の範囲には限定されず、その要旨の範囲内で種々の変形及び変更が可能である。例えば、上記の実施形態においては、２枚の表示パネルが重なる場合を例に挙げて説明したが、３枚以上の表示パネルが重なる場合においても、同様に本発明を適用することができる。また、上記の実施形態においては、表示パネル１００及び表示パネル２００と表示制御装置３００とが、ＨＤＭＩケーブルで接続されている例について説明したが、表示パネル１００及び表示パネル２００と表示制御装置３００とは、無線通信回線を含めて、他の任意の手段により接続されていてもよい。
【符号の説明】
【００７０】
１・・・表示装置
１００・・・表示パネル
２００・・・表示パネル
３５１・・・領域特定部
３５２・・・透過度制御部
【図２】
2016099435.tif 000003
【図３】
2016099435.tif 000004
【図４】
2016099435.tif 000005
【図５】
2016099435.tif 000006
【図６】
2016099435.tif 000007
【図７】
2016099435.tif 000008
【図８】
2016099435.tif 000009
【図９】
2016099435.tif 000010
【図１０】
2016099435.tif 000011
【図１１】
2016099435.tif 000012
【図１２】
2016099435.tif 000013
【図１３】
2016099435.tif 000014
【図１４】
2016099435.tif 000015
【図１】
2016099435.tif 000016